(57)【特許請求の範囲】
【請求項１】
遊技店に設置される複数の遊技機にそれぞれ対応して設けられ、遊技媒体の払出操作に応答して所定数の遊技媒体を対応する遊技機に対して投出処理する各台装置であって、
各台計数方式の持遊技媒体数が関連付けられている記録媒体の挿入を受け付ける記録媒体受付手段と、
前記記録媒体受付手段により受け付けられた記録媒体に関連付けられている持遊技媒体数のうち前記記録媒体が挿入された当該各台装置に分割して関連付ける分割持遊技媒体数を受け付ける受付手段と、
前記受付手段により受け付けた分割持遊技媒体数を当該各台装置の現在の持遊技媒体数に加算した加算結果を当該各台装置の持遊技媒体数として関連付けるとともに、前記記録媒体に関連付けられている持遊技媒体数から前記受付手段により受け付けた分割持遊技媒体数を減算した減算結果を前記記録媒体受付手段により受け付けられた記録媒体に関連付けて排出して、前記記録媒体に関連付けられている持遊技媒体数の分割処理を行う分割処理手段と、
を備えたことを特徴とする各台装置。
【請求項２】
遊技店に設置される複数の遊技機にそれぞれ対応して設けられ、遊技媒体の払出操作に応答して所定数の遊技媒体を対応する遊技機に対して投出処理する各台装置であって、
各台計数方式の持遊技媒体数が関連付けられている記録媒体の挿入を受け付ける記録媒体受付手段と、
前記記録媒体受付手段により受け付けられた記録媒体から各台装置に対する分割である第１の分割であるか各台装置から前記記録媒体への分割である第２の分割の何れであるかを示す分割方向を指定する分割方向指定手段と、
前記第１または第２の分割で指定される分割各台計数方式の持遊技媒体数を受け付ける受付手段と、
前記分割方向指定手段による指定が第１の分割である場合、前記記録媒体受付手段により記録媒体を受け付け後、前記受付手段により受け付けた分割持遊技媒体数を当該各台装置の現在の持遊技媒体数に加算した加算結果を当該各台装置の持遊技媒体数として関連付けるとともに、前記記録媒体に関連付けられている持遊技媒体数から前記受付手段により受け付けた分割持遊技媒体数を減算した減算結果を前記記録媒体に関連付けて排出して、前記記録媒体に関連付けられている持遊技媒体数の分割処理を行う第１の分割処理手段と、
前記分割方向指定手段による指定が第２の分割である場合、前記受付手段により受け付けた分割持遊技媒体数を当該各台装置の現在の持遊技媒体数から減算した減算結果を当該各台装置の持遊技媒体数として関連付けるとともに、前記記録媒体に関連付けられている持遊技媒体数に前記受付手段により受け付けた分割持遊技媒体数を加算した加算結果を前記記録媒体に関連付けて排出して、当該各台装置に関連付けられている持遊技媒体数の分割処理を行う第２の分割処理手段と、
を備えたことを特徴とする各台装置。
【請求項３】
遊技店に設置される複数の遊技機にそれぞれ対応して設けられ、遊技媒体の払出操作に応答して所定数の遊技媒体を対応する遊技機に対して投出処理する各台装置を含む遊技システムであって、
各台計数方式の持遊技媒体数が関連付けられている記録媒体の挿入を受け付ける記録媒体受付手段と、
前記記録媒体受付手段により受け付けられた記録媒体に関連付けられている持遊技媒体数のうち前記記録媒体が挿入された当該各台装置に分割して関連付ける分割持遊技媒体数を受け付ける受付手段と、
前記受付手段により受け付けた分割持遊技媒体数を当該各台装置の現在の持遊技媒体数に加算した加算結果を当該各台装置の持遊技媒体数として関連付けるとともに、前記記録媒体に関連付けられている持遊技媒体数から前記受付手段により受け付けた分割持遊技媒体数を減算した減算結果を前記記録媒体受付手段により受け付けられた記録媒体に関連付けて排出して、前記記録媒体に関連付けられている持遊技媒体数の分割処理を行う分割処理手段と、
を備えたことを特徴とする各台装置を含む遊技システム。
【請求項４】
遊技店に設置される複数の遊技機にそれぞれ対応して設けられ、遊技媒体の払出操作に応答して所定数の遊技媒体を対応する遊技機に対して投出処理する各台装置を含む遊技システムであって、
各台計数方式の持遊技媒体数が関連付けられている記録媒体の挿入を受け付ける記録媒体受付手段と、
前記記録媒体受付手段により受け付けられた記録媒体から各台装置に対する分割である第１の分割であるか各台装置から前記記録媒体への分割である第２の分割の何れであるかを示す分割方向を指定する分割方向指定手段と、
前記第１または第２の分割で指定される分割持遊技媒体数を受け付ける受付手段と、
前記分割方向指定手段による指定が第１の分割である場合、前記記録媒体受付手段により記録媒体を受け付け後、前記受付手段により受け付けた分割持遊技媒体数を当該各台装置の現在の持遊技媒体数に加算した加算結果を当該各台装置の持遊技媒体数として関連付けるとともに、前記記録媒体に関連付けられている持遊技媒体数から前記受付手段により受け付けた分割持遊技媒体数を減算した減算結果を前記記録媒体に関連付けて排出して、前記記録媒体に関連付けられている持遊技媒体数の分割処理を行う第１の分割処理手段と、
前記分割方向指定手段による指定が第２の分割である場合、前記受付手段により受け付けた分割持遊技媒体数を当該各台装置の現在の持遊技媒体数から減算した減算結果を当該各台装置の持遊技媒体数として関連付けるとともに、前記記録媒体に関連付けられている持遊技媒体数に前記受付手段により受け付けた分割持遊技媒体数を加算した加算結果を前記記録媒体に関連付けて排出して、当該各台装置に関連付けられている持遊技媒体数の分割処理を行う第２の分割処理手段と、
を備えたことを特徴とする各台装置を含む遊技システム。
【発明の詳細な説明】
【技術分野】
【０００１】
この発明は、遊技機に対応して設けられる各台装置及び分割記録媒体発行システムに関し、特に、持玉、貯玉及びプリペイド価値などの有価価値の一部を挿入された記録媒体を使用して効率良く第三者に譲り渡すことができる各台装置及び各台装置を含む遊技システムに関する。
【背景技術】
【０００２】
従来、パチンコ店などの遊技店には、遊技媒体を貸し出す台間カード処理機が遊技機に併設される事が多い。遊技客は、この台間カード処理機に現金を投入することで、遊技媒体の貸し出しを受けることができるとともに、この台間カード処理機で貯遊技媒体の引出操作を行うことで、再プレイを行うことができる。
【０００３】
最近では、かかる台間カード処理機に対して遊技媒体数を計数する計数部を設け、この台間カード処理機の計数部で計数した遊技媒体数を持玉としてカードＩＤに対応づけて台間カード処理機並びにカード管理装置で管理するとともに、遊技客が台間カード処理機で持玉払出操作を行うことで、かかる持玉を所定数ずつ払い出す各台計数機付き台間カード処理機も普及しつつある（例えば、特許文献１参照）。
【０００４】
このように、かかる各台計数機付き台間カード処理機を用いることで、遊技客は、パチンコ玉等の遊技媒体の現物を持ち歩かなくとも、持玉、貯遊技媒体及びプリペイド価値が関連付けたカードを用いて遊技の継続並びに遊技機の台移動を行うことができる。
【先行技術文献】
【特許文献】
【０００５】
【特許文献１】特開２００７−２２９１１１号公報
【発明の概要】
【発明が解決しようとする課題】
【０００６】
しかしながら、上記従来技術を用いた場合には、複数人が連れ立って遊技店に来店して持玉を共有する場合に、ある遊技客から他の遊技客へ持玉の譲渡を行いづらいという問題がある。この点を具体的に説明すると、ある遊技客が獲得した持玉の一部を他の遊技客に譲渡しようとする場合に、この持玉は現物の遊技媒体として存在するわけではなく、計数結果としてカードに関連付けられたデータであるため、遊技客間での現物の遊技媒体の譲渡を行うことができない。
【０００７】
このため、遊技客間での現物の遊技媒体の譲渡を行うためには、遊技客が持玉払出操作を繰り返し行って現物の遊技媒体を投出する必要が生ずる。しかし、一回の持玉払出操作で払い出される遊技媒体数は例えば１２５個と少量であるため、遊技客は、何度も繰り返し持玉払出操作を行わねばならず、利便性に欠ける結果となる。
【０００８】
また、ある遊技客が他の遊技客に対して持玉が関連付けられたカード自体を貸与することも考えられるが、遊技客がカードの返却操作を行ってしまうと、その後に持玉の払出操作を行うことができず、やはり利便性に欠ける結果となる。
【０００９】
なお、従業員操作によって持玉を複数のカードに関連付ける技術も考えられるが、持玉共有を行う度に従業員操作を要することとすると、従業員の負担が累増する結果となる。もともと、各台計数機付き台間カード処理機を導入した理由の一つは、従業員の労力軽減を図るためであるので、持玉共有を可能にするために従業員操作を要することとするのは各台計数機付き台間カード処理機を導入した趣旨に反する。
【００１０】
これらのことから、持玉や貯玉のような遊技媒体の一部を他の遊技客に譲渡して遊技媒体を共有する場合に、この遊技媒体の一部をいかに効率良く第三者に譲り渡すことを可能にするかが大きな課題となっている。かかる課題は、プリペイド価値などの有価価値の一部を他の遊技客に譲渡する場合にも生ずる課題である。
【００１１】
本発明は、上述した従来技術による問題点を解消するためになされたものであって、持玉、貯玉及びプリペイド価値などの有価価値の一部を他の遊技客に譲渡して有価価値を共有する場合に、この有価価値の一部を効率良く第三者に譲り渡すことができる各台装置及び各台装置を含む遊技システムを提供することを目的とする。
【課題を解決するための手段】
【００１２】
上述した課題を解決し、目的を達成するため、本発明は、遊技店に設置される複数の遊技機にそれぞれ対応して設けられ、遊技媒体の払出操作に応答して所定数の遊技媒体を対応する遊技機に対して投出処理する各台装置であって、各台計数方式の持遊技媒体数が関連付けられている記録媒体の挿入を受け付ける記録媒体受付手段と、前記記録媒体受付手段により受け付けられた記録媒体に関連付けられている持遊技媒体数のうち前記記録媒体が挿入された当該各台装置に分割して関連付ける分割持遊技媒体数を受け付ける受付手段と、前記受付手段により受け付けた分割持遊技媒体数を当該各台装置の現在の持遊技媒体数に加算した加算結果を当該各台装置の持遊技媒体数として関連付けるとともに、前記記録媒体に関連付けられている持遊技媒体数から前記受付手段により受け付けた分割持遊技媒体数を減算した減算結果を前記記録媒体受付手段により受け付けられた記録媒体に関連付けて排出して、前記記録媒体に関連付けられている持遊技媒体数の分割処理を行う分割処理手段とを備えたことを特徴とする。
【００１３】
また、本発明は、遊技店に設置される複数の遊技機にそれぞれ対応して設けられ、遊技媒体の払出操作に応答して所定数の遊技媒体を対応する遊技機に対して投出処理する各台装置であって、各台計数方式の持遊技媒体数が関連付けられている記録媒体の挿入を受け付ける記録媒体受付手段と、前記記録媒体受付手段により受け付けられた記録媒体から各台装置に対する分割である第１の分割であるか各台装置から前記記録媒体への分割である第２の分割の何れであるかを示す分割方向を指定する分割方向指定手段と、前記第１または第２の分割で指定される分割各台計数方式の持遊技媒体数を受け付ける受付手段と、前記分割方向指定手段による指定が第１の分割である場合、前記記録媒体受付手段により記録媒体を受け付け後、前記受付手段により受け付けた分割持遊技媒体数を当該各台装置の現在の持遊技媒体数に加算した加算結果を当該各台装置の持遊技媒体数として関連付けるとともに、前記記録媒体に関連付けられている持遊技媒体数から前記受付手段により受け付けた分割持遊技媒体数を減算した減算結果を前記記録媒体に関連付けて排出して、前記記録媒体に関連付けられている持遊技媒体数の分割処理を行う第１の分割処理手段と、前記分割方向指定手段による指定が第２の分割である場合、前記受付手段により受け付けた分割持遊技媒体数を当該各台装置の現在の持遊技媒体数から減算した減算結果を当該各台装置の持遊技媒体数として関連付けるとともに、前記記録媒体に関連付けられている持遊技媒体数に前記受付手段により受け付けた分割持遊技媒体数を加算した加算結果を前記記録媒体に関連付けて排出して、当該各台装置に関連付けられている持遊技媒体数の分割処理を行う第２の分割処理手段とを備えたことを特徴とする。
【００１５】
また、本発明は、遊技店に設置される複数の遊技機にそれぞれ対応して設けられ、遊技媒体の払出操作に応答して所定数の遊技媒体を対応する遊技機に対して投出処理する各台装置を含む遊技システムであって、各台計数方式の持遊技媒体数が関連付けられている記録媒体の挿入を受け付ける記録媒体受付手段と、前記記録媒体受付手段により受け付けられた記録媒体に関連付けられている持遊技媒体数のうち前記記録媒体が挿入された当該各台装置に分割して関連付ける分割持遊技媒体数を受け付ける受付手段と、前記受付手段により受け付けた分割持遊技媒体数を当該各台装置の現在の持遊技媒体数に加算した加算結果を当該各台装置の持遊技媒体数として関連付けるとともに、前記記録媒体に関連付けられている持遊技媒体数から前記受付手段により受け付けた分割持遊技媒体数を減算した減算結果を前記記録媒体受付手段により受け付けられた記録媒体に関連付けて排出して、前記記録媒体に関連付けられている持遊技媒体数の分割処理を行う分割処理手段とを備えたことを特徴とする。
【００１６】
また、本発明は、遊技店に設置される複数の遊技機にそれぞれ対応して設けられ、遊技媒体の払出操作に応答して所定数の遊技媒体を対応する遊技機に対して投出処理する各台装置を含む遊技システムであって、各台計数方式の持遊技媒体数が関連付けられている記録媒体の挿入を受け付ける記録媒体受付手段と、前記記録媒体受付手段により受け付けられた記録媒体から各台装置に対する分割である第１の分割であるか各台装置から前記記録媒体への分割である第２の分割の何れであるかを示す分割方向を指定する分割方向指定手段と、前記第１または第２の分割で指定される分割持遊技媒体数を受け付ける受付手段と、前記分割方向指定手段による指定が第１の分割である場合、前記記録媒体受付手段により記録媒体を受け付け後、前記受付手段により受け付けた分割持遊技媒体数を当該各台装置の現在の持遊技媒体数に加算した加算結果を当該各台装置の持遊技媒体数として関連付けるとともに、前記記録媒体に関連付けられている持遊技媒体数から前記受付手段により受け付けた分割持遊技媒体数を減算した減算結果を前記記録媒体に関連付けて排出して、前記記録媒体に関連付けられている持遊技媒体数の分割処理を行う第１の分割処理手段と、前記分割方向指定手段による指定が第２の分割である場合、前記受付手段により受け付けた分割持遊技媒体数を当該各台装置の現在の持遊技媒体数から減算した減算結果を当該各台装置の持遊技媒体数として関連付けるとともに、前記記録媒体に関連付けられている持遊技媒体数に前記受付手段により受け付けた分割持遊技媒体数を加算した加算結果を前記記録媒体に関連付けて排出して、当該各台装置に関連付けられている持遊技媒体数の分割処理を行う第２の分割処理手段とを備えたことを特徴とする。
【発明の効果】
【００１８】
本発明によれば、各台計数方式の持遊技媒体数が関連付けられている記録媒体の挿入を受け付け、受け付けた記録媒体に関連付けられている持遊技媒体数のうち記録媒体が挿入された当該各台装置に分割して関連付ける分割持遊技媒体数を受け付け、受け付けた分割持遊技媒体数を当該各台装置の現在の持遊技媒体数に加算した加算結果を当該各台装置の持遊技媒体数として関連付けるとともに、挿入された記録媒体に関連付けられている持遊技媒体数から前記受け付けた分割持遊技媒体数を減算した減算結果を挿入された記録媒体に関連付けて排出して、挿入された記録媒体に関連付けられている持遊技媒体数の分割処理を行うよう構成したので、持遊技媒体数の一部を他の遊技客に譲渡して持遊技媒体数を共有する場合に、この持遊技媒体数の一部を効率良く第三者に譲り渡すことができる。
【００１９】
また、本発明によれば、各台計数方式の持遊技媒体数が関連付けられている記録媒体の挿入を受け付け、受け付けた記録媒体から各台装置に対する分割である第１の分割であるか各台装置から記録媒体への分割である第２の分割の何れであるかを示す分割方向を指定し、この指定が第１の分割である場合、記録媒体の挿入を受け付け後、受け付けた分割持遊技媒体数を当該各台装置の現在の持遊技媒体数に加算した加算結果を当該各台装置の持遊技媒体数として関連付けるとともに、挿入された記録媒体に関連付けられている持遊技媒体数から前記受け付けた分割持遊技媒体数を減算した減算結果を挿入された記録媒体に関連付けて排出して、挿入された記録媒体に関連付けられている持遊技媒体数の分割処理を行い、指定が第２の分割である場合、受け付けた分割持遊技媒体数を当該各台装置の現在の持遊技媒体数から減算した減算結果を当該各台装置の持遊技媒体数として関連付けるとともに、記録媒体に関連付けられている持遊技媒体数に前記受け付けた分割持遊技媒体数を加算した加算結果を記録媒体に関連付けて排出して、当該各台装置に関連付けられている持遊技媒体数の分割処理を行うよう構成したので、持遊技媒体数の一部を他の遊技客に譲渡して持遊技媒体数を共有する場合に、記録媒体と各台装置との間で双方向に持遊技媒体数の分割を行うことができ、遊技客間の持遊技媒体数の共有状況に応じて持遊技媒体数の一部を効率良く相手遊技客に譲り渡すことができる。
【図面の簡単な説明】
【００２１】
【図１】図１は、本実施例１に係る台間カード処理機及び持玉分割方法の概念を説明するための説明図である。
【図２】図２は、遊技媒体処理システムのシステム構成を示す図である。
【図３】図３は、図１に示した台間カード処理機の外観構成を示す図である。
【図４】図４は、図３に示したカードユニット部の概略図である。
【図５】図５は、実施例１に係る台間カード処理機及びカード管理装置の内部構成を示す機能ブロック図である。
【図６】図６は、図５に示したカード情報の一例を示す図である。
【図７】図７は、図５に示した台間カード処理機及びカード管理装置によるカード挿入時の処理手順を示すフローチャートである。
【図８】図８は、図５に示した台間カード処理機及びカード管理装置による持玉分割処理時の処理手順を示すフローチャートである。
【図９】図９は、実施例２に係る台間カード処理機及び持玉分割方法の概念を説明するための説明図である。
【図１０】図１０は、実施例２に係る台間カード処理機及びカード管理装置の内部構成を示す機能ブロック図である。
【図１１】図１１は、図１０に示した台間カード処理機及びカード管理装置による持玉分割処理時の処理手順を示すフローチャートである。
【図１２】図１２は、図１０に示した台間カード処理機及びカード管理装置による持玉分割処理時の処理手順を示すフローチャートである。
【図１３】図１３は、実施例３に係る台間カード処理機及び持玉分割方法の概念を説明するための説明図である。
【図１４】図１４は、実施例３に係る台間カード処理機及びカード管理装置の内部構成を示す機能ブロック図である。
【図１５】図１５は、図１４に示した分割履歴情報の一例を示す図である。
【図１６】図１６は、図１４に示した台間カード処理機及びカード管理装置による貸借精算処理時の処理手順を示すフローチャートである。
【発明を実施するための形態】
【００２２】
以下に、添付図面を参照して、本発明に係る各台装置及び各台装置を含む遊技システムの好適な実施例を詳細に説明する。なお、以下では、記録媒体がカードであり、このカードに関連付けられる持玉を分割対象とした場合を中心に説明することとする。
【実施例１】
【００２３】
まず、本実施例１に係る持玉分割の概念について説明する。図１は、本実施例１に係る持玉分割の概念を説明するための説明図である。図１に示す台間カード処理機１０は、遊技客自身の操作によって持玉を分割できる装置である。
【００２４】
実施例１においては、台間カード処理機１０（正確には台間カード処理機１０が付設されている遊技機）に関連付けられている台間カード処理機１０に挿入済みの（または台間カード処理機１０に元々収容されている）第１のカードとは異なるＩＤを有する第２のカードが台間カード処理機１０に挿入された場合に、第２のカードに関連付けられている持玉を台間カード処理機１０に対して、すなわち第１のカードに対して分割する持玉分割処理が実行される。例えば、遊技客Ｂが保有するカードＢ（カードＩＤ「＃０００２」）に関連付けられている持玉「１０００玉」のうちの「４００玉」を遊技客Ａが遊技している台間カード処理機１０（ＩＤ「＃０００１」のカードＡが収容済み）に分割して、遊技客Ｂから遊技客Ａへの持玉譲渡を行いたい場合には、遊技客Ａが遊技している台間カード処理機１０で持玉分割操作を行う。具体的には、図１（ａ）に示すように、台間カード処理機１０に設けられた表示操作部１３で所定の分割開始操作を行った後、分割持玉数「４００」を入力する。台間カード処理機１０の分割処理前の持玉数は「３００」であるとする。
【００２５】
その後、図１（ｂ）に示すように、遊技客ＢのカードＢが台間カード処理機１０に挿入されて、さらに遊技機２０に設けられたカード返却ボタン２１ａが押下操作されると、この挿入されたカードＢから遊技客Ａが遊技している台間カード処理機１０に持玉「４００玉」が分割され、その後同図（ｃ）に示すように、持玉「６００玉（＝１０００玉−４００玉）」が関連付けられたカードＢがカードユニット部１５から排出される。また、台間カード処理機１０の持ち玉、すなわち台間カード処理機１０に関連付けられているカードＡ（カードＩＤ「＃０００１」）に関連付けられている持玉は、「３００玉」から「７００玉（＝３００玉＋４００玉）」に更新される。
【００２６】
このようにして、遊技客ＢのカードＢに関連付けられた持玉を、遊技客Ａに譲渡することが可能となる。遊技客Ａは、引き続き持玉「７００玉」を保有した状態で遊技を行うことが可能となる。
【００２７】
この台間カード処理機１０は、表示操作部１３に入力される分割持玉数が不適切であり、表示操作部１３に入力される分割持玉数が挿入されるカードＢに関連付けられる持玉数より大きい場合には、分割処理を行わないこととしている。
【００２８】
次に、本実施例１に係る遊技媒体処理システムのシステム構成について説明する。図２は、本実施例１に係る遊技媒体処理システムのシステム構成を示す図である。同図に示すように、この遊技媒体処理システムでは、複数の遊技機２０と、各遊技機２０にそれぞれ対応して設けられた台間カード処理機１０と、カード管理装置４０と、会員管理装置５０と、複数の島端計数機６０と、精算機７０と、景品管理装置８０とが通信回線９０を介して接続されている。なお、複数の遊技機２０及び台間カード処理機１０は、島コントローラ３０を介して通信回線９０に接続されている。
【００２９】
遊技機２０は、パチンコ玉を遊技領域に打ち込んで遊技客がパチンコ遊技を行うパチンコ機等の装置である。台間カード処理機１０は、遊技機２０に対する玉貸し処理、遊技機２０で獲得したパチンコ玉の計数処理、計数したパチンコ玉を持玉として再投出する処理、貯玉の再プレイ処理などを行う装置である。
【００３０】
この台間カード処理機１０には、あらかじめ複数枚のカードが収納されており、遊技客が遊技を終えてカード返却ボタン２１ａを押下操作すると、該カード１にプリペイド価値並びに持玉数が関連付けた後に返却される。具体的には、このプリペイド価値及び持玉数がカード１に書き込まれるとともに、カード管理装置４０で管理されるカード情報４０ｅの内容が更新される。また、カード１を受け入れたならば、このカード１のプリペイド価値並びに持玉数をカード管理装置４０から取得し、取得したプリペイド価値並びに持玉数に基づいてパチンコ玉の貸出処理並びに持玉の投出処理を行う。なお、カード１自体にプリペイド価値並びに持玉数を書き込んだ理由は主にオフライン運用を考慮したためであり、通常運用ではカード管理装置４０で管理されるカード情報４０ｅが正として取り扱われる。
【００３１】
また、この台間カード処理機１０は、持玉の分割数の入力操作を含む所定の持玉分割操作が行われ、その後台間カード処理機１０にカードが新たに挿入されると、挿入されたカードに関連付けられた持玉数から分割数を差し引いた値を挿入されたカードに関連付けて排出するとともに、分割数を台間カード処理機１０の現在の持玉数に加算する。このため、遊技客は、分割数が加算された持玉数をもって遊技を継続できる。なお、入力操作された分割数が挿入されるカードに関連付けられる持玉数より大きい場合には、分割処理を行わない。
【００３２】
島コントローラ３０は、遊技島に設けられた一群の遊技機２０及び台間カード処理機１０を束ねる中継装置である。カード管理装置４０は、カード１のプリペイド価値及び持玉数等をカード情報４０ｅとして管理する管理装置である。なお、その詳細な説明は後述するが、かかるカード情報４０ｅには、カードＩＤ毎に、プリペイド価値及び持玉数が含まれる。
【００３３】
会員管理装置５０は、遊技店に会員登録された会員の会員データを管理する管理装置である。具体的には、会員に対して発行した会員カードＩＤに対応づけて、会員の氏名及び住所等の会員データ並びに貯玉データ等を管理する。なお、本実施例では貯玉の分割処理についての説明を省略するが、持玉分割処理と同様に行うことができる。
【００３４】
島端計数機６０は、遊技島端等に設けられ、遊技客が獲得したパチンコ玉数を計数し、計数値をカード１に関連付けるか、レシートへ印字して発行する。精算機７０は、各種紙幣のプリペイド価値が関連付けられたカード１が挿入されると、このプリペイド価値に相当する現金の払出を行う。景品管理装置８０は、遊技店内の景品交換カウンターに併設された景品交換用の端末装置であり、貯玉及び持玉の景品交換処理を行う。
【００３５】
次に、図１に示した台間カード処理機１０の外観構成について説明する。図３は、図１に示した台間カード処理機１０の外観構成を示す図である。同図には、台間カード処理機１０が併設される遊技機２０が破線で図示されている。また、同図には紙幣のみを受け付ける台間カード処理機１０を図示したが、硬貨受け付け用のユニットを設けることもできる。
【００３６】
図３に示すように、台間カード処理機１０は、台間カード処理機１０の装置の状態を所定色のランプの点灯あるいは点滅で表示する状態表示部１１と、パチンコ玉を貸し出す際の各種紙幣を受け付ける紙幣挿入部１２とを有する。また、台間カード処理機１０は、ディスプレイなどの表示部並びにテンキーや各種ボタンを含む操作部からなる表示操作部１３と、遊技機２０の上皿２１に遊技媒体を供給するノズル１４と、カードＩＤ、プリペイド価値、貯玉データ及び持玉データが記憶されたカード１を受け付けるカードユニット部１５と、携帯端末の識別子であるＩＤｍを読み取る携帯読取部１６とが設けられている。
【００３７】
また、台間カード処理機１０は、遊技客が獲得したパチンコ玉数を持玉数として計数する計数部１７と、獲得玉を貯留する持玉貯留部１８とを有する。遊技機２０の下皿２２から落下した遊技媒体は、持玉貯留部１８を経て計数部１７へと導かれる。この持玉貯留部１８には、持玉数を表示する持玉数表示部１８ａが設けられている。この持玉数表示部１８ａは、７セグメント（７ＳＥＧ）のＬＣＤ等で構成され、後述する台間カード処理機１０の制御部１０ｆにより表示制御される。
【００３８】
なお、遊技機２０には、パチンコ玉を貯留する上皿２１及び該上皿２１の貯留量が増えたパチンコ玉を貯留する下皿２２が設けられている。この上皿２１には、カードを返却するカード返却ボタン２１ａが設けられている。その詳細な説明は後述するが、表示操作部１３から所定のパチンコ玉数を入力してカード返却ボタン２１ａが押下操作されると、持玉分割処理が行われる。
【００３９】
次に、図３に示した台間カード処理機１０のカードユニット部１５について、さらに詳細に説明する。図４は、図３に示したカードユニット部１５の概略図である。同図（ａ）には、カードユニット部１５を前面側（同図のＺ軸の負方向）からみた概略前面図を示し、同図（ｂ）には、カードユニット部１５を側面側（同図のＹＺ平面で切断しＸ軸の正方向）からみた概略側断面図を示している。
【００４０】
同図（ｂ）に示したように、カードユニット部１５は、カード搬送部１５ａと、リーダライタ部１５ｂと、収納部１５ｄとを備えている。また、リーダライタ部１５ｂは、アンテナ部１５ｃを有する。このリーダライタ部１５ｂは、図５に示したＲ／Ｗ部１０ａと同一のものである。なお、カードユニット部１５が取り扱うカードは、ＩＣチップを内蔵するいわゆるＩＣカードであり、あらかじめカードＩＤが記録されるとともに、持玉数、プリペイド価値などのデータが記録されている。そして、持玉数やプリペイド価値は、カード管理装置４０のカード情報４０ｅに記憶される。
【００４１】
カード搬送部１５ａは、遊技店の会員に対して発行される会員カードや一般カードが挿入された場合に、カードを同図のＺ軸の正方向へと搬送する。また、カードを排出する場合には、カードを同図のＺ軸の負方向へと搬送する。
【００４２】
リーダライタ部１５ｂは、カードとのデータ送受信を行うアンテナ部１５ｃを有している。また、リーダライタ部１５ｂは、かかるデータ送受信に際して、カードをアンテナ部１５ｃ上に保持する。したがって、台間カード処理機１０が、カードに関連付けられた持玉数を分割する場合には、かかるリーダライタ部１５ｂの位置までカードを搬送する必要がある。
【００４３】
収納部１５ｄは、遊技店の非会員である一般客に主に利用されるいわゆる一般カードの収納領域である。所定枚数の一般カードが、遊技店の開店前にあらかじめ収納部１５ｄに収納される。また、持玉データが関連付けられた一般カードが挿入口から挿入された場合には、リーダライタ部１５ｂにて持玉データを読み取って関連付けを解消する。関連付けが解消された一般カードは、収納部１５ｄへ収納される。なお、台間カード処理機１０が挿入されたカードの持玉分割処理を行う場合には、挿入されたカードはリーダライタ部１５ｂの位置まで搬送され、カードに対する所要のデータの読み書きが行われた後、排出される。
【００４４】
次に、図１に示した台間カード処理機１０及びカード管理装置４０の内部構成について説明する。図５は、図１に示した台間カード処理機１０及びカード管理装置４０の内部構成を示す機能ブロック図である。
【００４５】
同図に示すように、台間カード処理機１０は、Ｒ／Ｗ部１０ａと、通信Ｉ／Ｆ部１０ｂと、記憶部１０ｃと、制御部１０ｆとを有する。この制御部１０ｆには、表示操作部１３、計数部１７及び持玉数表示部１８ａが接続されている。表示操作部１３は、分割処理を開始させるための分割ボタン１３ａを有する。
【００４６】
Ｒ／Ｗ部１０ａは、受け入れたカード１へのデータの読み書きを行う処理部である。具体的には、カード１が挿入された場合には、該カード１のカードＩＤ、プリペイド価値及び持玉数を読み込んで制御部１０ｆに出力する。カード１を返却する場合には、このカード１にプリペイド価値及び持玉数を書き込む処理を行う。なお、カード１にプリペイド価値及び持玉数を書き込む理由は、カード管理装置４０との通信が途絶した状況下でもオフライン運用を可能にするためである。
【００４７】
通信Ｉ／Ｆ部１０ｂは、カード管理装置４０とデータ通信を行うためのインタフェース部である。記憶部１０ｃは、ハードディスク装置や不揮発性メモリ等の記憶デバイスであり、持玉数１０ｄをカードＩＤに対応付けて記憶する。
【００４８】
制御部１０ｆは、台間カード処理機１０の全体制御を行う制御部であり、持玉管理部１０ｇ、持玉分割処理部１０ｈ及び払出処理部１０ｉを有する。持玉管理部１０ｇは、記憶部１０ｃに記憶した持玉数１０ｄを用いて遊技客の持玉数を管理する管理部である。具体的には、新たな持玉が計数された場合には計数値を持玉数に加算処理し、持玉の払い出しが行われた場合には払い出し数を持玉数から減算処理する。カード１を返却する場合には、カード管理装置４０に対して持玉数を通知してカード管理装置４０により管理されるカード情報４０ｅの更新指示を行う。
【００４９】
持玉分割処理部１０ｈは、挿入されたカードに関連付けられた持玉の分割処理を行う処理部である。具体的には、持玉分割処理の際、挿入されたカードに関連付けられた持玉数をカード管理装置４０または会員管理装置５０から取得し、取得した持玉数から表示操作部１３の操作によって入力された分割数を減算し、減算結果を挿入されたカードに関連付けて排出するとともに、分割数を台間カード処理機１０に関連付けられた持玉数１０ｄに加算し、加算結果で記憶部１０ｃの持玉数１０ｄを更新するための処理を実行する。これにより、挿入されたカードから分割数が減算され、かつ当該台間カード処理機１０の持玉数が分割数分だけ増加する持玉分割処理が行われる。
【００５０】
払出処理部１０ｉは、持玉払出ボタンが押下操作された場合に、ノズル１４を介して持玉数のうちの所定数（例えば、１２５玉）を遊技機２０の上皿２１に投出するとともに、貸出ボタンが押下操作された場合には、カード１にプリペイド価値があることを条件に所定数の遊技媒体を払い出すよう遊技機２０に指示する処理部である。なお、貯玉の再プレイを行う場合には、ノズル１４を介して貯玉数のうちの所定数（例えば、１２５玉）を遊技機２０の上皿２１に投出することになる。
【００５１】
次に、カード管理装置４０は、入力部４０ａと、表示部４０ｂと、通信Ｉ／Ｆ部４０ｃと、記憶部４０ｄと、制御部４０ｆとを有する。入力部４０ａは、キーボードやマウス等の入力デバイスであり、表示部４０ｂは、液晶パネルやディスプレイ装置等の表示デバイスである。通信Ｉ／Ｆ部４０ｃは、台間カード処理機１０とデータ通信するためのインタフェース部であり、記憶部４０ｄは、ハードディスク装置や不揮発性メモリ等の記憶デバイスである。
【００５２】
図６に示すように、この記憶部４０ｄには、カードＩＤ、プリペイド価値、持玉数及び分割データが対応づけられたカード情報４０ｅが記憶されている。図６は、カードＩＤ「＃００１」の持玉数「１５００玉」のうちの「５００玉」がカードＩＤ「＃００２」に持玉分割され、カードＩＤ「＃００１」の持玉数が「１０００玉」となり、カードＩＤ「＃００２」の持玉数が「５００玉」となった状況を示している。かかる持玉分割が実行されると、図６に示すように、プリペイド価値「０円」、持玉数「１０００玉」、分割数「５００玉」、分割先カードＩＤ「＃００２」がカードＩＤ「＃００１」に対応づけられ、プリペイド価値「０円」、持玉数「５００玉」、分割元カードＩＤ「＃００１」がカードＩＤ「＃００２」に対応づけられることになる。
【００５３】
制御部４０ｆは、カード管理装置４０を全体制御する制御部であり、カード情報管理部４０ｇを有する。カード情報管理部４０ｇは、記憶部４０ｄに記憶したカード情報４０ｅを用いて各カードの持玉数やプリペイド価値を管理する。また、カード情報管理部４０ｇは、持玉分割処理にかかわる処理も実行する。
【００５４】
次に、図５に示した台間カード処理機１０及びカード管理装置４０によるカード挿入時の処理手順について説明する。図７は、図５に示した台間カード処理機１０及びカード管理装置４０によるカード挿入時の処理手順を示すフローチャートである。ここでは、説明の便宜上、カード１に持玉が関連付けられているものとする。
【００５５】
図７に示すように、台間カード処理機１０は、当初、カード１の受付待ち状態にあり（ステップＳ１０１；Ｎｏ）、カード１を受け付けたならば（ステップＳ１０１；Ｙｅｓ）、Ｒ／Ｗ部１０ａによりカードＩＤを読み取り（ステップＳ１０２）、このカードＩＤを含む持玉数の問合せ信号をカード管理装置４０に対して送信する（ステップＳ１０３）。
【００５６】
カード管理装置４０は、持玉数の問合せ信号を受信したならば（ステップＳ１０４；Ｙｅｓ）、カード情報４０ｅをカードＩＤで検索して持玉数を抽出し（ステップＳ１０５）、抽出した持玉数を台間カード処理機１０に送信した後（ステップＳ１０６）、カード情報４０ｅのカードＩＤに対応する持玉数を「０玉」にクリアする（ステップＳ１０７）。台間カード処理機１０が、持玉数を受信したならば（ステップＳ１０８；Ｙｅｓ）、受信した持玉数を記憶部１０ｃに記憶し（ステップＳ１０９）、この持玉数を持玉数表示部１８ａに表示する（ステップＳ１１０）。上記一連の処理を行うことにより、カードに関連付けられた持玉数１０ｄが台間カード処理機１０に記憶されることになる。
【００５７】
このように、通常時は、カードに記録された持玉数ではなく、カード管理装置４０に記憶された持玉数を正として利用するとともに、カードが台間カード処理機１０に挿入されたならば、この台間カード処理機１０に持玉数を移管することになる。そして、カードが返却される場合に、台間カード処理機１０内の持玉数がカード管理装置４０に移管され、カード情報４０ｅが更新される。
【００５８】
次に、図５に示した台間カード処理機１０およびカード管理装置４０による持玉分割処理時の処理手順について説明する。図８は、台間カード処理機１０およびカード管理装置４０による持玉分割処理時の処理手順を示すフローチャートである。ここでは説明の便宜上、図７に示した処理若しくは遊技客による遊技により、台間カード処理機１０の記憶部１０ｃに持玉数１０ｄとして遊技客Ａの持玉数ＮAが記憶されているとする。遊技客Ａの現在の持玉数ＮAは、図１に示したように、「３００玉」であるとする。また、遊技客Ａが遊技中の台間カード処理機１０に関連付けられているカードＡのＩＤは「＃０００１」であるとする。
【００５９】
図８に示すように、台間カード処理機１０は、持玉分割開始操作を受け付け待ちの状態にあり（ステップＳ２０１；Ｎｏ）、表示操作部１３の分割ボタン１３ａがオンにされる遊技客による所定の持玉分割開始操作を受け付けたならば（ステップＳ２０１；Ｙｅｓ）、持玉分割処理部１０ｈが現持玉数１０ｄ（＝ＮA：「３００玉」）を記憶部１０ｃから読み出して、現持玉数ＮAをカードＡのカードＩＤ「＃０００１」とともにカード管理装置４０に送信する（ステップＳ２０２）。また、持玉分割処理部１０ｈは、記憶部１０ｃの現持玉数１０ｄを「０玉」にクリアする。
【００６０】
カード管理装置４０は、この持玉数ＮAを受信すると（ステップＳ３０１）、カード情報４０ｅのカードＩＤ「＃０００１」に対応する持玉数を「０玉」から受信した持玉数ＮA（＝３００玉）に更新する（ステップＳ３０２）。
【００６１】
その後、分割元となる他の遊技客のカードがカードユニット部１５に挿入される。台間カード処理機１０は、カード受付け待ちの状態にあり（ステップＳ２０３；Ｎｏ）、新たなカードを受け付けたならば（ステップＳ２０３；Ｙｅｓ）、Ｒ／Ｗ部１０ａによりカードＩＤを読み取り、このカードＩＤを含む持玉数の問合せ信号をカード管理装置４０に対して送信する（ステップＳ２０４）。この場合、図１に示したように、新たに挿入されたカードＢは遊技客Ｂが所有し、カードＩＤは「＃０００２」とし、その持玉数ＮBが「１０００玉」であるとする。
【００６２】
カード管理装置４０は、カードＢの持玉数の問合せ信号を受信したならば（ステップＳ３０３；Ｙｅｓ）、カード情報４０ｅをカードＩＤ「＃０００２」で検索して持玉数ＮBを抽出し（ステップＳ３０４）、抽出した持玉数ＮBを台間カード処理機１０に送信し（ステップＳ３０５）、さらにカード情報４０ｅのカードＢのカードＩＤ「＃０００２」に対応する持玉数を「０玉」にクリアする。
【００６３】
台間カード処理機１０は、カードＢの持玉数ＮBを受信したならば（ステップＳ２０５；Ｙｅｓ）、受信した持玉数ＮBをカードＩＤ「＃０００２」とともに記憶部１０ｃに持玉数１０ｄとして記憶し（ステップＳ２０６）、この持玉数ＮBをカードＩＤ「＃０００２」とともに表示操作部１３に表示する。
【００６４】
つぎに、台間カード処理機１０は、分割数の入力待ちの状態にあり（ステップＳ２０７；Ｎｏ）、表示操作部１３を介してカードＢから分割すべき持玉数を示す分割数ＮCが入力されると、持玉分割処理部１０ｈはこの入力値ＮCがカードＢに関連付けられた持玉数ＮB以下であるか否かを判定し（ステップＳ２０８）、入力値ＮCが持玉数ＮB以下の場合に分割数が適正と判断する。なお、入力された分割数ＮCが不適正と判断した場合には（ステップＳ２０８；Ｎｏ）、表示操作部１３のＬＣＤに入力値エラーを示す「ＮＧ」を表示して処理を終了する（ステップＳ２０９）。この場合は、図１に示したように、ＮC＝４００玉であるとする。
【００６５】
つぎに、台間カード処理機１０の持玉分割処理部１０ｈは、分割数ＮCをカード管理装置４０に送信する（ステップＳ２１０）。カード管理装置４０は、台間カード処理機１０から分割数ＮC（＝４００玉）を受信すると（ステップＳ３０６）、カードＡに関する持玉分割計算を実行する。具体的には、カード情報４０ｅに登録されたカードＡのカードＩＤ「＃０００１」に対応する持玉数ＮA「３００玉」に、分割数ＮC（＝４００玉）を加算し（ステップＳ３０７）、この加算結果ＮA＋ＮC（＝７００玉）でカード情報４０ｅのカードＡのカードＩＤ「＃０００１」に対応する持玉数を更新する（ステップＳ３０８）。
【００６６】
つぎに、台間カード処理機１０は、返却ボタン２１ａの入力待ちの状態にあり（ステップＳ２１１；Ｎｏ）、返却ボタン２１ａがオンにされると、カードＢに関する持玉分割計算を実行する。具体的には、持玉分割処理部１０ｈは、持玉数１０ｄとして記憶されている挿入されたカードＢに関連付けられた持玉数ＮB（＝１０００玉）から分割数ＮC（＝４００玉）を減算し（ステップＳ２１２）、減算結果ＮB−ＮC（＝６００玉）をカードＢに関連付けて、カードＢを排出するとともに、減算結果ＮB−ＮCをカードＢの現持玉数ＮBとしてカードＢのカードＩＤとともにカード管理装置４０に送信する（ステップＳ２１３）。また、持玉分割処理部１０ｈは、記憶部１０ｃの現持玉数１０ｄを「０玉」にクリアする。さらに、持玉分割処理部１０ｈは、カードＡのカードＩＤを含む持玉数の問合せ信号をカード管理装置４０に対して送信する（ステップＳ２１３）。
【００６７】
カード管理装置４０は、カードＢの持玉数ＮB（＝６００玉）およびカードＡの問い合わせ信号を受信したならば（ステップＳ３０９；Ｙｅｓ）、カード情報４０ｅのカードＢのカードＩＤ「＃０００２」に対応する持玉数を「０玉」からＮB（＝６００玉）に更新する（ステップＳ３１０）。また、カード管理装置４０は、カード情報４０ｅをカードＡのカードＩＤ「＃０００１」で検索して持玉数ＮAを抽出し（ステップＳ３０４）、抽出した持玉数ＮA（＝７００玉）を台間カード処理機１０に送信する（ステップＳ３１１）。
【００６８】
台間カード処理機１０は、カードＡの持玉数ＮAの受信待ちの状態にあり（ステップＳ２１４；Ｎｏ）、持玉数ＮAを受信したならば（ステップＳ２１４；Ｙｅｓ）、受信した持玉数ＮA（＝７００玉）をカードＩＤ「＃０００１」とともに記憶部１０ｃに持玉数１０ｄとして記憶し（ステップＳ２１５）、この持玉数ＮA（＝７００玉）を持玉数表示部１８ａに表示する。遊技者Ａは、持玉数ＮA（＝７００玉）をもって遊技を継続することができる。
【００６９】
このように本実施例１では、台間カード処理機１０に関連付けられている第１のカードとは異なるＩＤを有する第２のカードを台間カード処理機１０に挿入して分割操作を行えば、挿入された第２のカードに関連付けられている持玉を台間カード処理機１０に対して、すなわち第１のカードに対して分割する持玉分割処理が実行されるので、挿入された第２のカードに関連付けられている持玉の一部を他の遊技客に譲渡して持玉共有を行う場合に、遊技者間で持玉を効率よく譲渡することが可能となる。
【００７０】
なお、上記実施例１に示した処理手順は一例を示したにすぎず、挿入された第２のカードに関連付けられている持玉を台間カード処理機１０に関連付けられている第１のカードに対して分割する持玉分割処理を実現できるのであれば、その処理手順は任意である。例えば、つぎのような処理手順によって持玉分割処理を行うようにしてもよい。図８に示した処理手順では、２つのカードについての分割処理を台間カード処理機１０とカード管理装置４０で分担して行っているが（ステップＳ２１２，ステップＳ３０７）、つぎに示す処理手順では、カード管理装置４０側で２つのカードについての持玉分割処理が行われている。
【００７１】
（１）遊技客Ａが台間カード処理機１０（カードＩＤ「＃０００１」）にて分割開始操作を行う。
（２）台間カード処理機１０は、カード（ＩＤ「＃０００１」）の現在の持玉数をカード管理装置４０に報告する。
（３）カード管理装置４０は、カード（ＩＤ「＃０００１」）の持玉数情報を更新する。
（４）台間カード処理機１０で分割数を入力する。
（５）遊技客Ｂが保有しているカード（ＩＤ「＃０００２」）を台間カード処理機１０に挿入する。
（６）遊技客は、返却ボタンをオンにする。
（７）台間カード処理機１０は、カード管理装置４０に挿入されたカード（ＩＤ「＃０００２」）の持玉数情報を要求する。
（８）カード管理装置４０は、台間カード処理機１０に対しカード（ＩＤ「＃０００２」）の持玉数情報を返答する。
（９）台間カード処理機１０は、入力された分割数とカード（ＩＤ「＃０００２」）の持玉数情報を比較し、分割可能と判断した場合、カード管理装置４０に、分割数と、分割元カードＩＤ、分割先カードＩＤを含む分割要求を送信する。
（１０）カード管理装置４０は、カード（ＩＤ「＃０００２」）の持玉数から分割数を減算し、カード（ＩＤ「＃０００１」）の持玉数に分割数を加算する持玉分割処理を行い、各カード（ＩＤ「＃０００１」、ＩＤ「＃０００２」）の持玉数情報を更新する。
（１１）カード管理装置４０は、台間カード処理機１０に分割結果を送信する。
（１２）台間カード処理機１０は、分割結果を表示後、挿入されたカード（ＩＤ「＃０００２」）を返却する。
上記処理手順において、（４）（５）は逆順でもよい。また、分割可能かどうかをカード管理装置４０側で判定してもよい。
【００７２】
さらに、２つのカードについての分割処理を双方とも台間カード処理機１０側で行うこととしてもよい。この場合の処理手順は例えばつぎのようになる。
（１）遊技客Ａが台間カード処理機１０（カードＩＤ「＃０００１」）にて分割開始操作を行う。この時点で、台間カード処理機１０は、カードＩＤ「＃０００１」の持玉数を記憶している。
（２）台間カード処理機１０で分割数を入力する。
（３）遊技客Ｂが保有しているカード（ＩＤ「＃０００２」）を台間カード処理機１０に挿入する。
（４）遊技客は、返却ボタンをオンにする。
（５）台間カード処理機１０は、挿入されたカード（ＩＤ「＃０００２」）の持玉数情報をカード管理装置４０に要求する。
（６）カード管理装置４０は、台間カード処理機１０に対しカード（ＩＤ「＃０００２」）の持玉数情報を返答する。
（７）台間カード処理機１０は、入力された分割数とカード（ＩＤ「＃０００２」）の持玉数情報を比較し、分割可能と判断した場合、カード（ＩＤ「＃０００２」）の持玉数から分割数を減算し、カード（ＩＤ「＃０００１」）の持玉数に分割数を加算する持玉分割処理を行い、２つのカード（ＩＤ「＃０００１」、ＩＤ「＃０００２」）についての分割結果をカード管理装置４０に通知する。
（８）台間カード処理機１０は、分割結果を表示後、挿入されたカード（ＩＤ「＃０００２」）を返却する。
（９）カード管理装置４０は、各カード（ＩＤ「＃０００１」、ＩＤ「＃０００２」）の持玉数情報を更新する。
上記処理手順において、（２）（３）は逆順でもよい。また、（８）（９）も逆順でよい。
【実施例２】
【００７３】
上記実施例１では、挿入される第三者のカードから台間カード処理機１０への持玉分割を行う場合を示したが、台間カード処理機から挿入される第三者のカードへの持玉分割が望まれる場合がある。このため、本実施例２では、持玉分割方向を指定可能とし、遊技者が指定した持玉分割方向に応じて挿入されたカードと台間カード処理機間で両方向での持玉分割を可能としている。なお、本実施例２に係るシステム構成等については、実施例１のものと同様となるので、ここではその説明を省略する。
【００７４】
本実施例２に係る持玉分割の概念について説明する。図９は、本実施例２に係る持玉分割の概念を説明するための説明図である。
【００７５】
実施例２においては、台間カード処理機１００の表示操作部１３で持玉分割方向を指定する。持玉分割方向を指定することによって、持玉分割が、台間カード処理機１００からカードに対するものであるか、カードから台間カード処理機１００に対するものであるかの何れであるかを指定する。図９（ａ）に示すように、台間カード処理機１００の表示操作部１３において、持玉分割開始を指示する持玉分割ボタン１３ａをオンにすると、案内画面が切り替わり、分割方向を指定するための画面（分割方向指定ボタン）１３ｂが表示される。この分割方向指定画面においては、挿入されるカードから台間カード処理機１００への持玉分割が行われるＡモードと、台間カード処理機１００から挿入されるカードへの持玉分割が行われるＢモードとが選択可能となっている。カードから台間カード処理機１００への持玉分割が行われるＡモードの動作は先の実施例１で説明しており、その詳細説明は省略する。図９（ａ）に示す分割方向指定画面において、Ｂモードが選択されたとする。
【００７６】
例えば、遊技客が保有する持玉「１０００玉」のうちの「４００玉」を持玉分割処理して第三者に譲渡したい場合には、遊技客は持玉分割操作を行う。具体的には、図９（ｂ）に示すように、台間カード処理機１００に設けられた表示操作部１３に「４００」と入力し、持玉を譲渡する第三者のカード（分割先カード）をカードユニット部１５に挿入した後、遊技機２０に設けられたカード返却ボタン２１ａを押下操作する。図９では、第三者のカードの分割処理前の持玉数は「０」であるとする。
【００７７】
これにより、図９（ｃ）に示すように、持玉「４００玉」が関連付けられた分割先カードがカードユニット部１５から排出される。また、台間カード処理機１００の分割処理後の持玉数は「６００」となる。
【００７８】
このようにして、台間カード処理機１００に関連付けられた持玉を、第三者が保有するカードに譲渡することが可能となる。遊技客は、引き続き持玉「６００玉」を保有した状態で遊技を行うことが可能となる。
【００７９】
図１０は、本実施例２に係る台間カード処理機１００及びカード管理装置１４０の内部構成を示す機能ブロック図である。なお、図５に示したものと同様の機能部については同一符号を付すこととしてその詳細な説明を省略する。図１０に示すように、この台間カード処理機１００には、図５に示した表示操作部１３に分割方向指定ボタン１３ｂが追加されている。
【００８０】
分割方向指定ボタン１３ｂは、たとえば図９（ａ）に示した「Ａモード」ボタン、「Ｂモード」ボタンを含む操作子であり、持玉分割の際の分割方向が指定される。持玉分割処理部１０ｈは、指定された分割方向に応じて、カードから台間カード処理機１００への持玉分割が行われるＡモードと、台間カード処理機１００からカードへの持玉分割が行われるＢモードとを選択的に動作させる。Ａモードについては実施例１で説明したので、その説明は省略する。Ｂモードでは、持玉分割処理部１０ｈは、挿入されたカードに関連付けられた持玉数をカード管理装置４０または会員管理装置５０から取得し、取得した持玉数に対し表示操作部１３の操作によって入力された分割数を加算し、加算結果を挿入されたカードに関連付けて排出するとともに、台間カード処理機１００に関連付けられた持玉数１０ｄから分割数を減算し、減算結果で記憶部１０ｃの持玉数１０ｄを更新するための処理を実行する。これにより、挿入されたカードに分割数が加算され、かつ当該台間カード処理機１００の持玉数が分割数分だけ減少する持玉分割処理が行われる。
【００８１】
次に、図１０に示した台間カード処理機１００およびカード管理装置１４０による持玉分割処理時の処理手順について説明する。図１１および図１２は、台間カード処理機１００およびカード管理装置１４０による持玉分割処理時の処理手順を示すフローチャートである。ここでは説明の便宜上、図７に示した処理若しくは遊技客による遊技により、台間カード処理機１００の記憶部１０ｃに持玉数１０ｄとして遊技客Ａの持玉数ＮAが記憶されているとする。遊技客Ａの現在の持玉数ＮAは、図９に示したように、「１０００玉」であるとする。また、遊技客Ａが遊技中の台間カード処理機１００に関連付けられているカードＡのＩＤは「＃０００１」であるとする。
【００８２】
図１１に示すように、台間カード処理機１００は、持玉分割開始操作を受け付け待ちの状態にあり（ステップＳ４０１；Ｎｏ）、表示操作部１３の分割ボタン１３ａがオンにされる遊技客による持玉分割開始操作を受け付けたならば（ステップＳ４０１；Ｙｅｓ）、つぎに台間カード処理機１００は、分割方向指定操作の受け付け待ちの状態になる（ステップＳ４０２）。そして、図９（ａ）に示したように、表示操作部１３の「Ａモード」ボタン、「Ｂモード」ボタンのいずれかがオンにされる分割方向指定がなされると（ステップＳ４０２；Ｙｅｓ）、オンにされたボタンに応じた持玉分割処理を実行する。Ａモードが選択されると、実施例１に示したように、カードから台間カード処理機１００への持玉分割が行われる（ステップＳ４０５）。Ｂモードが選択されると、台間カード処理機１００からカードへの持玉分割が行われる（ステップＳ４０６）。Ａモードの動作説明は省略する。
【００８３】
図１２にしたがってＢモードの処理手順について説明する。台間カード処理機１００は、分割数の入力待ちの状態にあり（ステップＳ５０１；Ｎｏ）、表示操作部１３を介して台間カード処理機１００から分割すべき持玉数を示す分割数ＮCが入力されると、持玉分割処理部１０ｈが現持玉数１０ｄ（＝ＮA：「１０００玉」）を記憶部１０ｃから読み出して、入力値ＮCが台間カード処理機１００に関連付けられた持玉数ＮA以下であるか否かを判定し、入力値ＮCが持玉数ＮA以下の場合に分割数が適正と判断する（ステップＳ５０２；Ｙｅｓ）。入力された分割数ＮCが不適正と判断した場合には（ステップＳ５０２；Ｎｏ）、表示操作部１３のＬＣＤに入力値エラーを示す「ＮＧ」を表示して処理を終了する（ステップＳ５０２）。この場合は、図９に示したように、ＮC＝４００玉であるとする。
【００８４】
つぎに、台間カード処理機１００の持玉分割処理部１０ｈは、現持玉数１０ｄ（＝ＮA：「１０００玉」）をカードＡのカードＩＤ「＃０００１」とともにカード管理装置１４０に送信する（ステップＳ５０４）。さらに、台間カード処理機１００の持玉分割処理部１０ｈは、分割数ＮCをカード管理装置１４０に送信する。（ステップＳ５０４）。また、持玉分割処理部１０ｈは、記憶部１０ｃの現持玉数１０ｄを「０玉」にクリアする。
【００８５】
カード管理装置１４０は、この持玉数ＮAおよび分割数ＮCを受信すると（ステップＳ６００）、カード情報４０ｅのカードＩＤ「＃０００１」に対応する持玉数を「０玉」から受信した持玉数ＮA（＝１０００玉）に更新する（ステップＳ６０１）。さらに、カード管理装置１４０は、カードＡに関する持玉分割計算を実行する。具体的には、カード情報４０ｅに登録されたカードＡのカードＩＤ「＃０００１」に対応する持玉数ＮA「１０００玉」から分割数ＮC（＝４００玉）を減算し（ステップＳ６０２）、この減算結果ＮA−ＮC（＝６００玉）でカード情報４０ｅのカードＡのカードＩＤ「＃０００１」に対応する持玉数を更新する（ステップＳ６０３）。
【００８６】
その後、分割先となる他の遊技客ＢのカードＢがカードユニット部１５に挿入される。台間カード処理機１００は、カード受付け待ちの状態にあり（ステップＳ５０５；Ｎｏ）、新たなカードを受け付けたならば（ステップＳ５０５；Ｙｅｓ）、Ｒ／Ｗ部１０ａによりカードＩＤを読み取り、このカードＩＤを含む持玉数の問合せ信号をカード管理装置１４０に対して送信する（ステップＳ５０６）。この場合、図９に示したように、新たに挿入された分割先カードＢは遊技客Ｂが所有し、カードＩＤは「＃０００２」とし、その持玉数ＮBが「０玉」であるとする。
【００８７】
カード管理装置１４０は、カードＢの持玉数の問合せ信号を受信したならば（ステップＳ６０４；Ｙｅｓ）、カード情報４０ｅをカードＩＤ「＃０００２」で検索して持玉数ＮBを抽出し、抽出した持玉数ＮBを台間カード処理機１００に送信し（ステップＳ６０５）、さらにカード情報４０ｅのカードＢのカードＩＤ「＃０００２」に対応する持玉数を「０玉」にクリアする。
【００８８】
台間カード処理機１００は、カードＢの持玉数ＮB（＝「０玉」）を受信したならば（ステップＳ５０７；Ｙｅｓ）、受信した持玉数ＮBをカードＩＤ「＃０００２」とともに記憶部１０ｃに持玉数１０ｄとして記憶し（ステップＳ５０８）、この持玉数ＮBをカードＩＤ「＃０００２」とともに表示操作部１３に表示する。
【００８９】
つぎに、台間カード処理機１０は、返却ボタン２１ａの入力待ちの状態にあり（ステップＳ５０９；Ｎｏ）、返却ボタン２１ａがオンにされると、カードＢに関する持玉分割計算を実行する。具体的には、持玉分割処理部１０ｈは、持玉数１０ｄとして記憶されている挿入されたカードＢに関連付けられた持玉数ＮB（＝０玉）に分割数ＮC（＝４００玉）を加算し（ステップＳ５１０）、加算結果ＮB＋ＮC（＝４００玉）をカードＢに関連付けて、カードＢを排出するとともに、加算結果ＮB＋ＮCをカードＢの現持玉数ＮBとしてカードＢのカードＩＤとともにカード管理装置１４０に送信する（ステップＳ５１２）。また、持玉分割処理部１０ｈは、記憶部１０ｃの現持玉数１０ｄを「０玉」にクリアする。さらに、持玉分割処理部１０ｈは、カードＡのカードＩＤを含む持玉数の問合せ信号をカード管理装置１４０に対して送信する（ステップＳ５１２）。
【００９０】
カード管理装置１４０は、カードＢの持玉数ＮB（＝４００玉）およびカードＡの問い合わせ信号を受信したならば（ステップＳ６０６；Ｙｅｓ）、カード情報４０ｅのカードＢのカードＩＤ「＃０００２」に対応する持玉数を「０玉」からＮB（＝４００玉）に更新する（ステップＳ６０７）。また、カード管理装置１４０は、カード情報４０ｅをカードＡのカードＩＤ「＃０００１」で検索して持玉数ＮAを抽出し、抽出した持玉数ＮA（＝６００玉）を台間カード処理機１０に送信する（ステップＳ６０８）。
【００９１】
台間カード処理機１００は、カードＡの持玉数ＮAの受信待ちの状態にあり（ステップＳ５１３；Ｎｏ）、持玉数ＮAを受信したならば（ステップＳ５１３；Ｙｅｓ）、受信した持玉数ＮA（＝６００玉）をカードＩＤ「＃０００１」とともに記憶部１０ｃに持玉数１０ｄとして記憶し（ステップＳ５１４）、この持玉数ＮA（＝６００玉）を持玉数表示部１８ａに表示する。遊技者Ａは、この後、持玉数ＮA（＝６００玉）をもって遊技を継続することができる。
【００９２】
なお、上記の処理手順では、カード管理装置１４０は、カードの受付け、さらには返却ボタンの投入前に、カードＡの分割処理を行うこととしているが、カード管理装置１４０は、カードの受付後（ステップＳ５０５）、または返却ボタンの投入をトリガとして（ステップＳ５０９）、カードＡの分割処理を行うこととしてもよい。
【００９３】
このように本実施例２では、持玉分割方向を遊技者に指定させ、挿入されるカードから台間カード処理機１００への持玉分割が行われるＡモードと、台間カード処理機１００から挿入されるカードへの持玉分割が行われるＢモードとが選択可能としたので、持玉分割の利便性が向上し、遊技者間で持玉を効率よく譲渡することが可能となる。
【００９４】
なお、上記した実施例２においてＢモードでの処理手順は一例を示したにすぎず、台間カード処理機１００に関連付けられている第１のカードの持玉を挿入された第２のカードに対して分割する持玉分割処理を実現できるのであれば、その処理手順は任意である。例えば、つぎのような処理手順によってＢモードの持玉分割処理を行うようにしてもよい。図１２に示した処理手順では、２つのカードについての分割処理を台間カード処理機１００とカード管理装置１４０で分担して行っているが（ステップＳ６０２，ステップＳ５１０）、つぎに示す処理手順では、カード管理装置１４０側で２つのカードについての持玉分割処理が行われている。
【００９５】
（１）遊技客Ａが台間カード処理機１００（カードＩＤ「＃０００１」）にて分割開始操作（Ｂモード選択）を行う。
（２）台間カード処理機１００は、カード（ＩＤ「＃０００１」）の現在の持玉数をカード管理装置１４０に報告する。
（３）カード管理装置１４０は、カード（ＩＤ「＃０００１」）の持玉数情報を更新する。
（４）台間カード処理機１００で分割数を入力する。
（５）遊技客Ｂが保有しているカード（ＩＤ「＃０００２」）を台間カード処理機１００に挿入する。
（６）遊技客は、返却ボタンをオンにする。
（７）台間カード処理機１００は、分割数と、分割元カードＩＤ（「＃０００１」）、分割先カードＩＤ（「０００２」）を含む分割要求をカード管理装置１４０に送信する。
（８）カード管理装置１４０は、分割元カード（ＩＤ「＃０００１」）の持玉数から分割数を減算し、分割先カード（ＩＤ「＃０００２」）の持玉数に分割数を加算する持玉分割処理を行い、各カード（ＩＤ「＃０００１」、ＩＤ「＃０００２」）の持玉数情報を更新する。
（９）カード管理装置１４０は、台間カード処理機１００に分割結果を送信する。
（１０）台間カード処理機１００は、分割結果を表示後、挿入されたカード（ＩＤ「＃０００２」）を返却する。
上記処理手順において、（４）（５）は逆順でもよい。
【００９６】
さらに、Ｂモードにおいて、２つのカードについての分割処理を双方とも台間カード処理機１００側で行うこととしてもよい。この場合の処理手順は例えば次のようになる。
（１）遊技客Ａが台間カード処理機１００（カードＩＤ「＃０００１」）にて分割開始操作（Ｂモード選択）を行う。この時点で、台間カード処理機１００は、カードＩＤ「＃０００１」の持玉数を記憶している。
（２）台間カード処理機１００で分割数を入力する。
（３）遊技客Ｂが保有しているカード（ＩＤ「＃０００２」）を台間カード処理機１００に挿入する。
（４）遊技客は、返却ボタンをオンにする。
（５）台間カード処理機１００は、カード管理装置１４０に挿入されたカード（ＩＤ「＃０００２」）の持玉数情報を要求する。
（６）カード管理装置１４０は、台間カード処理機１００に対しカード（ＩＤ「＃０００２」）の持玉数情報を返答する。
（７）台間カード処理機１００は、入力された分割数とカード（ＩＤ「＃０００１」）の持玉数情報を比較し、分割可能と判断した場合、カード（ＩＤ「＃０００１」）の持玉数から分割数を減算し、カード（ＩＤ「＃０００２」）の持玉数に分割数を加算する持玉分割処理を行い、２つのカード（ＩＤ「＃０００１」、ＩＤ「＃０００２」）についての分割結果をカード管理装置１４０に通知する。
（８）台間カード処理機１００は、分割結果を表示後、挿入されたカード（ＩＤ「＃０００２」）を返却する。
（９）カード管理装置１４０は、各カード（ＩＤ「＃０００１」、ＩＤ「＃０００２」）の持玉数情報を更新する。
上記処理手順において、（２）（３）は逆順でもよい。
【００９７】
なお、本実施例２のＢモードの場合、台間カード処理機内にある内蔵カードに分割して排出するようにしても良い。
【実施例３】
【００９８】
実施例３においては、カード管理装置２４０は各カードの分割履歴を記憶することとし、台間カード処理機に対応付けられている第１のカードと、第三者が保有する第２のカードとの間での貸借精算が台間カード処理機において行えることとしている。なお、本実施例３に係るシステム構成等については、実施例１のものと同様となるので、ここではその説明を省略する。
【００９９】
本実施例３に係る貸借精算の概念について説明する。図１３は、本実施例３に係る貸借精算の概念を説明するための説明図である。
【０１００】
実施例３においては、台間カード処理機１１０の表示操作部１３で貸借精算を指定可能となっている。貸借精算を指定することによって、台間カード処理機１１０に関連付けられている第１のカードとは異なるＩＤを有する第２のカードが台間カード処理機１１０に挿入された場合に、台間カード処理機１１０に対応付けられた第１のカードと第２のカードとの間で、過去の持玉譲渡の貸借を精算する。図１３（ａ）に示すように、台間カード処理機１１０の表示操作部１３において、貸借精算を指示する貸借精算ボタン１３ｃをオンにすると、案内画面が切り替わり、カードの挿入を案内する画面が表示される。
【０１０１】
その後、図１３（ｂ）に示すように、遊技客ＢのカードＢが台間カード処理機１１０に挿入されて、さらに遊技機２０に設けられたカード返却ボタン２１ａが押下操作されるとする。ここで、台間カード処理機１１０に関連付けられている遊技者ＡのカードＡの現在の持玉数が「２０００玉」とし、遊技客ＢのカードＢに関連付けられている持玉数が「５００玉」とし、カードＡはカードＢに対し「３００玉」の借りがあるとする。台間カード処理機１１０では、両カードＡ、Ｂについての貸借精算をカード管理装置２４０に要求する。
【０１０２】
カード管理装置２４０は、持玉分割の履歴に基づいて両カードＡ、Ｂ間の貸借状態を把握し、両カードＡ、Ｂ間の貸し借りがなくなるように両カードＡ、Ｂ間で持玉分割を行う。具体的には、この場合は、カードＡはカードＢに対し「３００玉」の借りがあるので、カードＡの現持玉数「２０００玉」から「３００玉」を減算し、カードＢの現持玉数「５００玉」に「３００玉」を加算する持玉分割計算（貸借精算処理）を実行する。そして、カード管理装置２４０は、貸借精算結果（カードＡ：持玉数「１７００玉」、カードＢ：持玉数「８００玉」）でカードＡ、Ｂのカード情報を更新するとともに貸借精算結果を台間カード処理機１１０に通知する。
【０１０３】
台間カード処理機１１０では、図１３（ｃ）に示すように、通知された貸借精算結果に基づき、カードＡ、Ｂの持玉数を更新する。具体的には、通知されたカードＢの貸借精算結果（持玉数「８００玉」）をカードＢに関連付けてカードＢを排出するとともに、台間カード処理機１１０（カードＡ）の持玉数を「１７００玉」に更新する。
【０１０４】
このようにして、遊技客ＡのカードＡと遊技客ＢのカードＢ間で貸借精算を効率よく行うことが可能となる。遊技客Ａは、引き続き持玉「１７００玉」を保有した状態で遊技を行うことが可能となる。
【０１０５】
図１４は、本実施例３に係る台間カード処理機１１０及びカード管理装置２４０の内部構成を示す機能ブロック図である。なお、図１０に示したものと同様の機能部については同一符号を付すこととしてその詳細な説明を省略する。図１４に示すように、この台間カード処理機１１０には、図５に示した表示操作部１３に貸借精算ボタン１３ｃ、精算許可／不許可ボタン１３ｄが追加されている。また、カード管理装置２４０には、貸借精算部４０ｊが追加されている。
【０１０６】
貸借精算ボタン１３ｃは、たとえば図１３（ａ）に示したように、貸借精算を行う際に操作される。精算許可／不許可ボタン１３ｄは、貸借精算を行う際に、表示される貸借精算結果を遊技者が許可／不許可する際に操作される。また、カード管理装置２４０の記憶部４０ｄには、分割履歴情報４０ｈが記憶されるデータベースが備えられている。分割履歴情報４０ｈには、図１５に示すように、カードＩＤ毎に、過去の持玉分割履歴が蓄積記録されている。分割履歴情報４０ｈは、持玉分割処理が行われる度に追加される。分割履歴情報４０ｈは、カードＩＤ毎に、持玉分割を行った相手カードのＩＤ、変動数（貸借持玉数）を含む。図１５の例では、ＩＤ「０００２」のカードがＩＤ「＃０００３」のカードに「２０００玉」を借りる持玉分割が行われ、その後ＩＤ「＃０００１」のカードがＩＤ「＃０００２」のカードに「３００玉」を借りる持玉分割が行われ、その後ＩＤ「＃０００１」のカードがＩＤ「＃０００４」のカードに「１０００玉」を借りる持玉分割が行われている。
【０１０７】
カード管理装置２４０の貸借精算部４０ｊは、台間カード処理機１１０から貸借精算の要求があった場合、分割履歴情報を参照して２つのカード間の貸借精算を行い、その貸借精算結果を台間カード処理機１１０に通知する。
【０１０８】
次に、図１４に示した台間カード処理機１１０およびカード管理装置２４０による持玉分割処理時の処理手順について説明する。図１６は、台間カード処理機１１０およびカード管理装置２４０による貸借精算処理時の処理手順を示すフローチャートである。ここでは説明の便宜上、図７に示した処理若しくは遊技客による遊技により、台間カード処理機１００の記憶部１０ｃに持玉数１０ｄとして遊技客Ａの持玉数ＮAが記憶されているとする。遊技客Ａの現在の持玉数ＮAは、図１３に示したように、「２０００玉」であるとする。また、遊技客Ａが遊技中の台間カード処理機１１０に関連付けられているカードＡのＩＤは「＃０００１」であるとする。
【０１０９】
図１６に示すように、台間カード処理機１１０は、持玉分割開始操作を受け付け待ちの状態にあり（ステップＳ７０１；Ｎｏ）、表示操作部１３の分割ボタン１３ａがオンにされる遊技客による持玉分割開始操作を受け付けたならば（ステップＳ７０１；Ｙｅｓ）、つぎに台間カード処理機１００は、つぎの操作ボタンの操作受け付け待ちの状態になる（ステップＳ７０２）。そして、図１３（ａ）に示したように、表示操作部１３の貸借精算ボタン１３ｃがオンになると（ステップＳ７０２；Ｙｅｓ）、案内画面が切り替わり、カードの挿入を案内する画面が表示される。
【０１１０】
台間カード処理機１１０は、カード受付け待ちの状態にあり（ステップＳ７０３；Ｎｏ）、新たなカードＢを受け付けたならば（ステップＳ７０３；Ｙｅｓ）、Ｒ／Ｗ部１０ａによりカードＩＤを読み取り、台間カード処理機１１０に関連付けられているカードＡのＩＤ、台間カード処理機１１０（カードＡ）の現持玉数ＮA、受け付けたカードＢのＩＤを含む貸借精算要求をカード管理装置２４０に対して送信する（ステップＳ７０４）。この場合、図１３に示したように、新たに挿入された分割先カードＢは遊技客Ｂが所有し、カードＩＤは「＃０００２」とし、その持玉数ＮBが「５００玉」であるとする。
【０１１１】
カード管理装置２４０は、貸借精算要求を受信したならば（ステップＳ８００；Ｙｅｓ）、カード情報４０ｅをカードＢのカードＩＤ「＃０００２」で検索して持玉数ＮBを抽出する。さらに、カード管理装置２４０は、分割履歴情報４０ｈを参照し、カードＩＤ「＃０００１」とカードＩＤ「＃０００２」との間の貸借データ（両カード間の貸借状態（±）およびその貸借持玉数）を算出する。図１３、図１５に示した例では、ＩＤ「＃０００１」のカードがＩＤ「＃０００２」のカードに「３００玉」を借りている関係にあるとする貸借データが算出される。ＩＤ「＃０００１」のカードから見た場合、貸借データは「−３００玉」となる。
【０１１２】
カード管理装置２４０は、算出した貸借データを用いて、カードＩＤ「＃０００１」とカードＩＤ「＃０００２」との間の貸借精算を実行する。具体的には、ＩＤ「＃０００１」のカードがＩＤ「＃０００２」のカードに「３００玉」を借りている関係にあるので、ＩＤ「＃０００１」の持玉数ＮA（＝「２０００玉」）から「３００玉」を減算してＩＤ「＃０００１」のカードの精算結果（「１７００玉」）を取得し、ＩＤ「＃０００２」の持玉数ＮB（＝「５００玉」）に「３００玉」を加算してＩＤ「＃０００２」のカードの精算結果（「８００玉」）を取得する。
【０１１３】
つぎに、カード管理装置２４０は、貸借データおよび両カードの精算結果を含む貸借精算データを台間カード処理機１１０に通知し（ステップＳ８０１）、通知した貸借精算データを一時記憶しておく。具体的には、貸借精算データには、例えば、ＩＤ「＃０００１」のカードがＩＤ「＃０００２」のカードに「３００玉」を借りていることを示す貸借データ、ＩＤ「＃０００１」のカードＡの精算結果（「１７００玉」）、およびＩＤ「＃０００２」のカードＢの精算結果（「８００玉」）が含まれる。
【０１１４】
台間カード処理機１１０は、貸借精算データを受信すると、貸借精算データを表示操作部１３に表示し、精算許可／不許可ボタン１３ｄの操作の受付け待ち状態となる（ステップＳ７０８）。台間カード処理機１１０は、精算許可／不許可ボタン１３ｄが不許可に操作された場合、挿入されたカードＢを排出し、貸借精算を中止する（ステップＳ７０９）。また、台間カード処理機１１０は、精算許可／不許可ボタン１３ｄが許可に操作された場合は、ＩＤ「＃０００１」のカードとＩＤ「＃０００２」のカードとの間で貸借精算の実行を要求することを示す貸借精算実行要求をカード管理装置２４０に送信する（ステップＳ７１０）。
【０１１５】
カード管理装置２４０は、貸借精算実行要求を受信すると（ステップＳ８０３）、一時記憶しておいたＩＤ「＃０００１」のカードとＩＤ「＃０００２」のカード間の貸借精算データを取り出し、取り出した貸借精算データに含まれる両カードの精算結果に基づきカード情報４０ｅのカードＡのＩＤ「＃０００１」に対応する持玉数およびカードＢのＩＤ「＃０００２」に対応する持玉数を更新する（ステップＳ８０４）。具体的には、カード情報４０ｅのカードＡの持玉数を「１７００玉」に更新し、カードＢの持玉数を「８００玉」に更新する。
【０１１６】
つぎに、カード管理装置２４０は、両カードの更新結果を含む更新終了通知を台間カード処理機１１０に送信する（ステップＳ８０５）。台間カード処理機１１０は、更新終了通知を受信すると（ステップＳ７１１）、更新終了通知に含まれる両カードの更新結果すなわち両カードの貸借精算結果を表示操作部１３に表示し、精算結果（＝８００玉）をカードＢに関連付けて、カードＢを排出する（ステップＳ７１２）。
【０１１７】
なお、図１６に示した貸借精算の処理手順では、カード返却ボタン２１ａの操作を不要としているが、カード返却ボタン２１ａの操作を処理手順中に含ませることとしてもよい。
【０１１８】
このように本実施例３では、台間カード処理機経由で２つのカード間の貸借一括精算を可能としたので、遊技者の利便性が向上する。
【０１１９】
なお、上記実施例１〜３では、台間カード処理機にカードを挿入した場合に、カード管理装置で管理される持玉数を台間カード処理機に移行してカード管理装置が管理する持玉数をクリアすることとしたが、本発明はこれに限定されるものではなく、台間カード処理機とカード管理装置の双方で持玉数を管理する場合や、カード管理装置のみで持玉数を管理する場合に適用することもできる。
【０１２０】
また、分割先カードと分割元カードの紐付け関係は、どちらか一方のカードの全ての有価価値が「０」になった時点でリセットする。そうしないと、遊技客が入れ替わった時にでも紐付け関係が継続されてしまう恐れがあるからである。
【０１２１】
また、上記実施例１〜３では、持玉を分割処理及び貸借精算処理する場合を示したが、本発明はこれに限定されるものではなく、貯玉等を分割処理及び貸借精算処理する場合に適用することもできる。さらに、上記実施例１〜３では、台間カード処理機からノズルを介して持玉を払い出す場合を示したが、本発明はこれに限定されるものではなく、台間カード処理機から遊技機に対して払出指示を行い、遊技機の内部からパチンコ玉を払い出す場合に適用することもできる。
【０１２２】
また、上記実施例１〜３では、カード管理装置と会員管理装置を別装置とした場合を示したが、本発明はこれに限定されるものではなく、カード管理装置と会員管理装置を一体化した場合に適用することもできる。
【０１２３】
また、上記実施例１〜３では、台間カード処理機及び／またはカード管理装置で分割処理、貸借精算処理を行う場合を示したが、機能の一部を島コントローラ３０などの別装置に持たせて、システムとして同様の機能を達成するようにしても良い。具体的には、分割指示入力やカード排出の制御の機能は、台間カード処理機が持つことになるが、それ以外の機能を島コントローラ３０およびカード管理装置などの機器で分担することもできる。
【０１２４】
また、いわゆるダブルサンドと呼ばれる台間カード処理機（ＣＲユニット）と各台計数機が分離されたものの場合は、計数機能や持玉分割機能を、貸出機能を持つ台間カード処理機（ＣＲユニット）とは別体の装置に持たせても良い。
【０１２５】
また、上記実施例では、持玉を分割処理及び貸借精算処理する場合を示したが、図６に示したプリペイド価値を分割処理及び貸借精算処理することとしてもよいし、持玉とプリペイド価値との相互間でも分割処理及び貸借精算処理することとしてもよい。要するに、カードなどの記録媒体に関連付けられた有価価値であれば、これを分割処理及び貸借精算処理することとしてもよい。
【０１２６】
また、有価価値が関連付けられる記録媒体としてカード以外に携帯電話を利用してもよい。さらに、上記一連の説明では、説明の便宜上貸し単価が異なるレート間移動がない場合について説明したが、分割処理及び貸借精算処理の際にレート間移動に対応させてもよい。
【産業上の利用可能性】
【０１２７】
以上のように、本発明に係る各台装置及び遊技システムは、プリペイド価値などの有価価値の一部を他の遊技客に譲渡して有価価値を共有する場合に、この有価価値の一部を効率良く第三者に譲り渡す場合に適している。
【符号の説明】
【０１２８】
１    カード
１０    台間カード処理機
１０ａ  Ｒ／Ｗ部
１０ｂ  通信Ｉ／Ｆ部
１０ｃ  記憶部
１０ｄ  持玉数
１０ｆ  制御部
１０ｇ  持玉管理部
１０ｈ  持玉分割処理部
１０ｉ  払出処理部
１１    状態表示部
１２    紙幣挿入部
１３    表示操作部
１３ａ  分割ボタン
１３ａ  持玉分割ボタン（分割ボタン）
１３ｂ  分割方向指定ボタン
１３ｃ  貸借精算ボタン
１３ｄ  精算許可／不許可ボタン
１４          ノズル
１５          カードユニット部
１５ａ  カード搬送部
１５ｂ  リーダライタ部
１５ｃ  アンテナ部
１５ｄ  収納部
１６    携帯読取部
１７    計数部
１８    持玉貯留部
１８ａ  持玉数表示部
２０    遊技機
２１    上皿
２１ａ  カード返却ボタン（返却ボタン）
２２    下皿
３０    島コントローラ
４０    カード管理装置
４０ａ  入力部
４０ｂ  表示部
４０ｃ  通信Ｉ／Ｆ部
４０ｄ  記憶部
４０ｅ  カード情報
４０ｆ  制御部
４０ｇ  カード情報管理部
４０ｈ  分割履歴情報
４０ｊ  貸借精算部
５０    会員管理装置
６０    島端計数機
７０    精算機
８０    景品管理装置
９０    通信回線
１００  台間カード処理機
１１０  台間カード処理機
１４０  カード管理装置
２４０  カード管理装置
【図１】
0005658009.tif 000002
【図２】
0005658009.tif 000003
【図３】
0005658009.tif 000004
【図４】
0005658009.tif 000005
【図５】
0005658009.tif 000006
【図６】
0005658009.tif 000007
【図７】
0005658009.tif 000008
【図８】
0005658009.tif 000009
【図９】
0005658009.tif 000010
【図１０】
0005658009.tif 000011
【図１１】
0005658009.tif 000012
【図１２】
0005658009.tif 000013
【図１３】
0005658009.tif 000014
【図１４】
0005658009.tif 000015
【図１５】
0005658009.tif 000016
【図１６】
0005658009.tif 000017